(57)【要約】      （修正有）【課題】夜間に使用される警告表示灯において、遠方からの視認性に加え、警告表示灯の近傍で斜め方向からの視認性を改善する。【解決手段】ＬＥＤ７を保護する外装ケース１に、外光を反射する機能とＬＥＤ光を拡散外部放出する機能を設けると同時に、その一部に外光の反射及び、ＬＥＤ光の拡散しない透光部１−ａを設ける。外装ケース１とＬＥＤ７を取り付けるプレート２でＬＥＤ７を囲む閉空間を形成し、ＬＥＤ７の直接光とＬＥＤ７の拡散光を外部に放出する。【選択図】図２
0003198681.tif 000002
【実用新案登録請求の範囲】
【請求項１】
内壁面に内部発光を拡散して外部放出する拡散面を形成した透光性の外装ケースと、前記外装ケースとの間に閉空間を形成するプレートと、前期プレートの閉空間側に取り付けたＬＥＤとからなり、前記外装ケースには、内部発光を拡散することなく外部放出する透光部を設け、前記ＬＥＤはその発光が該透光部と前記拡散面に分散する位置となるプレート面に取り付けたことを特徴とする警告表示灯。
【請求項２】
前記ＬＥＤは、砲弾型形状を呈し、発光の光軸が前記外装ケース及びプレートと略平行に配置したことを特徴とする請求項１に記載の警告表示灯。
【請求項３】
前記ＬＥＤは、砲弾型形状を呈し、その端子をプレートに直立状態で取り付け砲弾部を水平方向に取り付けたことを特徴とする請求項１及び２に記載の警告表示灯。
【請求項４】
前記外装ケースと前記プレートは長方形状であり、前記ＬＥＤは、複数個を有し、且つそれぞれの発光が前記透光部と前記拡散面に分散する位置となる前記プレート面の長手方向に取り付けたことを特徴とする請求項１に記載の警告表示灯。
【考案の詳細な説明】
【技術分野】
【０００１】本考案は、車道や歩道上に設置する警告表示灯に関する。
【背景技術】
【０００２】従来、道路、鉄道、建物などの現場において、車両運転車や歩行者などに警告を与える警告表示灯においては、光反射器間にＬＥＤを配置し、ＬＥＤからの光が表示面に対し垂直軸上、前方に放射される為、遠方からでも視認できる様になされている。（特許文献１、特許文献２）
【先行技術文献】
【特許文献】
【０００３】
【特許文献１】特開２００３‐１６０９７１号公報
【特許文献２】特開２００３‐２１３６３３号公報
【考案の概要】
【考案が解決しようとする課題】
【０００４】前述の特許文献１，２の場合、警告表示灯から遠方でも視認できる一方ＬＥＤが配置されていない所は発光しない為、点発光となり、発光軸上から斜めになると警告表示灯の近くでも十分な視認性を確保できない問題が有った。【０００５】本考案では、発光軸上から外れた斜め近傍においても十分な視認性を確保する事を課題とする。
【課題を解決するための手段】
【０００６】本考案の一つ目は、内壁面に内部発光を拡散して外部放出する拡散面を形成した透光性の外装ケースと、前記外装ケースとの間に閉空間を形成するプレートと、前記プレートの閉空間側に取り付けたＬＥＤとからなり、前記外装ケースには、内部発光を拡散することなく外部放出する透光部を設け、前記ＬＥＤはその発光が該透光部と前記拡散面に分散する位置となるプレート面に取り付けたものである。【０００７】本考案の二つ目は、ＬＥＤの形状を砲弾型形状とし、発光の光軸が前記外装ケース及びプレートと略平行に配置したものである。【０００８】本考案の三つ目は、ＬＥＤの形状を砲弾型形状とし、その端子をプレートに直立状態で取り付け砲弾部を水平方向に取り付けたものである。【０００９】本考案の四つ目は、前記外装ケースと前記プレートは長方形状であり、前記ＬＥＤは、複数個を有し、且つそれぞれの発光が前記透光部と前記拡散面に分散する位置となる前記プレート面の長手方向に取り付けたものである。
【考案の効果】
【００１０】外部から警告表示灯を見ると、外装ケース全体が面発光し、また拡散面を形成してない透光部はＬＥＤから放出された光が直接放射される為、面発光の中に輝度が高い点発光部が形成される。【００１１】面発光部は指向性が広いため、表示面から斜めの近傍でも良く視認できる。また発光面積の広い表示体の中に高い輝度部が存在する為、遠方からも良く視認できる。
【図面の簡単な説明】
【００１２】
【図１】本考案の警告表示灯を１０個使用し、矢印の形に配置し外装ケースとプレートを重合固定した正面図。
【図２】同じく図１のＡ‐Ａ断面図。
【図３】同じく図１の正面斜視図。
【図４】同じく図１の裏面斜視図。
【図５】同じく図１のＡ‐Ａ断面図で、透光部として集光レンズを形成した実施例。
【図６】同じく図１のＡ‐Ａ断面図で、透光部を平坦にした実施例。
【図７】同じく図１のＡ‐Ａ断面図で、プリント基板を介してＬＥＤをプレートに取り付けた実施例。
【図８】同じく図１のＡ‐Ａ断面図で、プリント基板を介して面実装ＬＥＤを使用した実施例。
【考案を実施するための形態】
【００１３】本考案の実施形態を図面に基づいて詳述する。図１は本考案の警告表示灯を１０個使用し矢印の形に配置し外装ケースとプレートを重合固定した正面図で、矢印警告表示灯である。図２は本考案の警告表示灯の断面図で有り、図１中の断面図Ａ‐Ａです。図３は、図１の正面斜視図、図４は図１の裏面斜視図を示しています。
【００１４】本考案の警告表示灯の構造を図２を用いて説明する。砲弾型ＬＥＤ７が所定の間隔（６５ｍｍ）でプレート２に３個取り付けられている。
【００１５】プレート２は、非透光性で且反射特性を有した白色プラスチックで形成されている。
【００１６】ＬＥＤのリード８は、直角に曲げられて、ＬＥＤの発光軸が水平となる様に、プレート２の面に取り付けられている。即ち、前記ＬＥＤはその発光が後述する透光部と同じく後述する拡散面に分散する位置となるプレート面に取り付けている。
【００１７】プレート２は、筐体プレート３に取り付けられている。
【００１８】筐体プレート３には、収納ＢＯＸ４が取り付けられている。
【００１９】収納ＢＯＸ４には、ＬＥＤの駆動回路５が収納されている。
【００２０】ＬＥＤリード８は電線６に接続され、さらに駆動回路５へと接続され、駆動回路５により、ＬＥＤ７は点灯する。
【００２１】ＬＥＤ７が取り付けられているプレート２には、透光性の硬質プラスチックで形成された外装ケース１が取り付けられている。
【００２２】外装ケース１の内面には断面が三角形のプリズム反射面１‐ｂが形成されている。また外装ケース１の一部にはプリズム反射面の無い透光部１‐ａが形成されている。
【００２３】外装ケース１とプレート２でＬＥＤは囲まれて、閉空間が形成されている。閉空間の寸法は、高さＨ（５．５ｍｍ）×横幅Ｗ（２９ｍｍ）×長さＬ（１６０ｍｍ）とし、ＬＥＤ７はΦ＝３ｍｍの砲弾型ランプとし、透光部１‐ａは、ΦＤ＝６ｍｍとし、ＬＥＤ７の発光中心位置と透光部１‐ａの中心位置との距離Ｅは５ｍｍ（３ｍｍ〜１５ｍｍ）とした。
【００２４】ＬＥＤ７の光は、光軸に対し所定の半値角（例えば半値角度＝６０度）で放射される為、外装ケースの内面に形成された透光部１‐ａに直接到達し外部へ放射される光１３と外装ケース内面に形成されたプリズム反射面１‐ｂとＬＥＤ７を取り付けているプレート２で形成された閉空間内で反射拡散し外部へと放射される光１４に分かれる。
【００２４】反射拡散放射光１４により、外装ケース１はケース面全体が発光し、しかも拡散光による発光の為、指向性は広くなる。故に警告表示灯の正面から外れた斜めの方向からの視認性も良い。
【００２５】また透光部１‐ａから放出された光１３は、ＬＥＤから直接放射された光なので、高い輝度として、警告表示灯正面から遠方でも視認できる。
【００２６】また車のヘッドライト等の外部からの光が、警告表示灯に当たると外装ケース内面に形成されたプリズム反射面１‐ｂにより反射され、ドライバーから視認される。
【００２７】図５は、透光部１‐ａとして集光レンズを形成した実施例で、集光レンズを使用してるので、ＬＥＤからの直接光がより高輝度になる為、遠方からの視認性が向上する。
【００２８】図６は、透光部１‐ａが平坦に形成された実施例で、カバー面が平坦なので、デザイン性が良く、又積み重ねた時突起がないので、傷が付き難い。
【００２９】図７は、ＬＥＤ７をプリント基板１５に取り付けてからプレート２に取り付けた実施例で、半田付けでプリント基板にＬＥＤを装着してからプレート２に取り付ける為、組み立て作業性が良い。
【００３０】図８は、面実装ＬＥＤ７‐ａを基板１５に取り付けてから、プレート２に取り付けた実施例で、図７同様に組み立て作業性が良い。
【符号の説明】
【００３１】１      外装ケース
１‐ａ  透光部
１‐ｂ  反射面
２      プレート
３      筐体プレート
４      収納ＢＯＸ
５      駆動回路
６      電線
７      砲弾型ＬＥＤ
８      ＬＥＤのリード
７‐ａ  面実装ＬＥＤ
８‐ａ  面実装ＬＥＤの端子
９      開閉脚
１０    パイプ継手
１１    パイプ
１２    外光の反射光
１３    ＬＥＤからの直接放射光
１４    ＬＥＤからの反射拡散放射光
１５    プリント基板
Ｈ      閉空間の高さ寸法
Ｌ      閉空間の長さ寸法
Ｗ      閉空間の横幅寸法
Ｅ      ＬＥＤ７の発光中心位置と透光部の中心位置との距離
ΦＤ    透光部の直径
Φ      砲弾型ランプの直径
【図１】
0003198681.tif 000003
【図２】
0003198681.tif 000004
【図３】
0003198681.tif 000005
【図４】
0003198681.tif 000006
【図５】
0003198681.tif 000007
【図６】
0003198681.tif 000008
【図７】
0003198681.tif 000009
【図８】
0003198681.tif 000010